(57)【要約】【課題】絶縁材料でモールドされたコンポーネントの主回路部分の絶縁性能の確認を可能とする。【解決手段】箱体１内に少なくとも接続導体８、３４に接離する断路棒１５、３３、接地導体１７、３６、接地極導体１８、３７からなる接地回路と、断路棒１５、３３を操作する接地用操作機構１４、３２を収納した固体絶縁スイッチギヤにおいて、接地回路を箱体１の正面側に配置するとともに、接地極導体１８、３７を取り外すと所定の電圧に耐え得るように絶縁したことを特徴とする。【選択図】図１
2009071907.tif 000002
【特許請求の範囲】
【請求項１】
箱体内に少なくとも接地装置を収納した固体絶縁スイッチギヤにおいて、
前記接地装置の接地回路を前記箱体の正面側に配置するとともに、接地極を取り外すと所定の電圧に耐え得るように絶縁したことを特徴とする固体絶縁スイッチギヤ。
【請求項２】
前記接地装置の断路棒が接離する主回路導体両端に、遮断部および断路部を接続したことを特徴とする請求項１に記載の固体絶縁スイッチギヤ。
【請求項３】
前記接地回路に絶縁試験装置を接続することを特徴とする請求項１または請求項２に記載の固体絶縁スイッチギヤ。
【請求項４】
箱体の正面側に配置するとともに、所定の電圧に耐え得るように絶縁し、且つ接地極に接続する接地回路と、
前記接地回路の断路棒を操作する接地用操作機構と、
前記断路棒が接離する主回路導体とを備え、
前記接地回路から前記接地極を取り外し、
前記断路棒を前記主回路導体に接触させ、
前記接地回路に絶縁試験装置を接続することを特徴とする固体絶縁スイッチギヤの絶縁試験方法。
【請求項５】
前記絶縁試験装置は、耐電圧試験装置であることを特徴とする請求項４に記載の固体絶縁スイッチギヤの絶縁試験方法。
【発明の詳細な説明】
【技術分野】
【０００１】
本発明は、絶縁材料でモールドされたコンポーネントの絶縁試験を容易に実施し得る固体絶縁スイッチギヤおよびその絶縁試験方法に関する。
【背景技術】
【０００２】
一般的な固体絶縁スイッチギヤにおいては、絶縁材料でモールドされた遮断部や断路部などのコンポーネントを箱体内に収納して構成した受電盤、変換盤、母連盤、フィーダ盤、分岐盤などを列盤し、電源回路が構成されている。そして、固体絶縁スイッチギヤの主回路部分を確認するための耐電圧試験などの絶縁試験では、受電盤の受電点に電圧印加端子を接続し、固体絶縁スイッチギヤ全体に電圧を印加し、絶縁性能が確認されている（例えば、特許文献１参照）。
【特許文献１】特開平５−２２７６１８号公報  （第３〜４ページ、図２）
【発明の開示】
【発明が解決しようとする課題】
【０００３】
上記の従来の固体絶縁スイッチギヤにおいては、次のような問題がある。保守、点検時において、固体絶縁スイッチギヤ全体を停電して全体の絶縁性能を確認することができるものの、列盤された各構成盤に電圧印加端子を接続する個所がなく、部分的な範囲での絶縁性能の確認ができなかった。このため、各盤に電圧印加が可能な端子を設け、所定範囲の主回路部分に電圧を印加することのできるものが望まれていた。
【０００４】
本発明は上記問題を解決するためになされたもので、各盤に絶縁試験が可能な端子を設け、所定範囲の主回路部分の絶縁性能を確認することのできる固体絶縁スイッチギヤおよびその絶縁試験方法を提供することを目的とする。
【課題を解決するための手段】
【０００５】
上記目的を達成するために、本発明の固体絶縁スイッチギヤは、箱体内に少なくとも接地装置を収納した固体絶縁スイッチギヤにおいて、前記接地装置の接地回路を前記箱体の正面側に配置するとともに、接地極を取り外すと所定の電圧に耐え得るように絶縁したことを特徴とする。
【発明の効果】
【０００６】
本発明によれば、各盤の正面側に配置した接地回路を、所定の電圧に耐え得るように絶縁しているので、接地回路から電圧を印加することが可能となり、所定範囲の主回路部分の絶縁性能を確認することができる。
【発明を実施するための最良の形態】
【０００７】
接地回路に耐電圧試験などの絶縁試験に耐え得る絶縁を施し、所定範囲の主回路部分の絶縁性能を確認することのできる固体絶縁スイッチギヤである。以下、図面を参照して本発明の実施例を説明する。
【実施例】
【０００８】
本発明の実施例に係る固体絶縁スイッチギヤを図１および図２を参照して説明する。図１は、本発明の実施例に係る固体絶縁スイッチギヤの構成を示す断面図、図２は、本発明の実施例に係る固体絶縁スイッチギヤの絶縁試験方法を説明する図である。
【０００９】
図１に示すように、箱体１内には、正面側に第１のユニット部２ａと第２のユニット部２ｂとが上下二段積みで配置されており、これらは背面側に配置された母線３で接続されている。なお、この回路構成は、フィーダ盤である。
【００１０】
第１のユニット部２ａには、真空バルブ４をエポキシ樹脂のような絶縁材料でモールドした遮断部５と、真空バルブ４と同様の真空バルブ６を遮断部５と同様の絶縁材料でモールドした断路部７とが軸方向を略水平にしてそれぞれ配置されている。遮断部５と断路部７との正面側の主回路端は、上下方向に配置した接続導体８を遮断部５などと同様の絶縁材料でモールドした可動側接続部９で接続されている。可動側接続部９には、正面側に開口部が設けられている。
【００１１】
この開口部には、遮断部５の可動軸に連結された絶縁操作ロッド１０が設けられ、正面側に配置された遮断用操作機構１１で開閉操作が行われる。また、断路部７の可動軸にも絶縁操作ロッド１２が連結され、正面側に配置された断路用操作機構１３で開閉操作が行われる。更に、遮断用操作機構１１と断路用操作機構１３間には、接地用操作機構１４が設けられ、棒状の断路棒１５を略水平方向に移動自在に移動させ、接続導体８と接離できるようになっている。
【００１２】
断路棒１５は、例えば現地耐電圧値のような所定の電圧に耐え得る環状の絶縁カラー１６を移動自在に貫通し、Ｌ字状の接地導体１７を介して三相分をまとめて接地極に接続する接地極導体１８に接続されている。接地導体１７は、所定の電圧に耐え得る支持がいし１９に支持固定されている。また、断路棒１５は、棒状の中間部に所定の電圧に耐え得る図示しない絶縁層が設けられており、接地用操作機構１４と絶縁されている。
【００１３】
ここで、断路棒１５、接地導体１７、接地極導体１８により接地回路が構成される。そして、この接地回路と接地用操作機構１４とで主回路導体の接続導体８を接地する接地装置が構成される。
【００１４】
遮断部５の背面側の主回路端には、変流器２０を介したケーブルヘッド２１が接続され、負荷ケーブル２２に接続されている。また、断路部７の背面側の主回路端には、電源側となる母線３が接続されている。
【００１５】
一方、第２のユニット部２ｂは第１のユニット部２ａと同様の構成であり、真空バルブ２３、２４を絶縁材料でモールドした断路部２５と遮断部２６とが略平行に配置されている。断路部２５の背面側の主回路端は前記母線３に接続され、また正面側に配置された断路用操作機構２７で開閉操作が行われる。遮断部２６の背面側の主回路端には、変流器２８を介したケーブルヘッド２９が接続され、負荷ケーブル３０に接続されている。また、正面側に配置された遮断用操作機構３１で開閉操作が行われる。
【００１６】
断路用操作機構２７と遮断用操作機構３１間には、接地用操作機構３２が設けられ、断路棒３３が接続導体３４に接離するようになっている。断路棒３３には、支持がいし３５に支持固定された接地導体３６が接続され、接地極導体３７に接続されている。なお、正面側には、各コンポーネントを制御する制御室３８が設けられている。
【００１７】
次に、所定範囲の主回路部分に電圧を印加し、絶縁性能を確認する方法を第１のユニット部２ａを示す図２を参照して説明する。
【００１８】
先ず、遮断用操作機構１１を操作して遮断部５の真空バルブ４を閉路とし、断路用操作機構１３を操作して断路部７の真空バルブ６を開路とする。そして、接地用操作機構１４を操作して断路棒１５を主回路導体である接続導体８に接触させる。これにより、母線３側に影響を与えることなく、負荷ケーブル２２側を接地することができ、保守、点検を行うことができる。
【００１９】
次に、接地極に接続された接地極導体１８を取り外し、接地導体１７に電圧印加リード線４０を接続する。電圧印加リード線４０には、ＡＣ、ＤＣ耐電圧試験器、絶縁抵抗測定器、部分放電検出器などの絶縁試験装置を接続することができる。断路棒１５や接地導体１７には、所定の電圧を印加することができるので、負荷ケーブル２２に接続された負荷機器の絶縁試験を行うことができる。即ち、接地回路を絶縁試験が可能な電圧印加端子とすることができる。
【００２０】
絶縁試験後には、電圧印加リード線４０を取り外して接地極導体１８を接続し、断路棒１５を接続導体８から開離すれば、通常の運転に戻すことができる。これらは、いずれも箱体１の正面側で行うことができ、容易な作業となる。
【００２１】
なお、断路部７を閉路とし、遮断部５を開路とすると、負荷ケーブル２２側に影響を与えることなく、母線３側を接地して保守、点検を行うことができる。図１に示す第２のユニット部２ｂにおいても、断路部２５と遮断部２６とを操作することにより、母線３側や負荷ケーブル３０側の保守、点検を行うことができる。更には、第１のユニット部２ａと第２のユニット部２ｂとを組み合わせることにより、所定範囲の主回路部分の保守、点検を行うことができる。
【００２２】
上記実施例の固体絶縁スイッチギヤによれば、接続導体８、３４に接離する断路棒１５、３３を有する接地回路を箱体１の正面側に配置しているので、主回路を接地する操作が容易となり、保守、点検を行うことができる。また、接地極導体１８、３７を取り外すと、所定の電圧に耐え得るようにしているので、所定範囲の主回路部分に電圧を印加することのでき、絶縁性能を確認することができる。
【００２３】
なお、上記実施例では、フィーダ盤について説明したが、遮断部５、２６や断路部７、２５などを有する受電盤や母連盤などの固体絶縁スイッチギヤを構成するそれぞれの各盤においても、接地装置を操作することにより保守、点検、および絶縁試験を容易に行うことができる。
【００２４】
また、上記実施例では、接地装置の断路棒１５、３３が接離する主回路導体の電源側と負荷側とに遮断部５、２６および断路部７、２５を配置し、これらを開閉することにより所定範囲の主回路部分の保守、点検が可能となることを説明したが、少なくとも各盤に接地装置を設けることにより、主回路を接地することができ、また、接地極導体１８、３７を取り外して主回路の絶縁試験をすることができる。このように接地装置だけ収納された盤では、当該盤の主回路全体が絶縁試験の範囲となる。
【図面の簡単な説明】
【００２５】
【図１】本発明の実施例に係る固体絶縁スイッチギヤの構成を示す断面図。
【図２】本発明の実施例に係る固体絶縁スイッチギヤの絶縁試験方法を説明する図。
【符号の説明】
【００２６】
１  箱体
２ａ  第１のユニット部
２ｂ  第２のユニット部
３  母線
４、６、２３、２４  真空バルブ
５、２６  遮断部
７、２５  断路部
８、３４  接続導体
９  可動側接続部
１０、１２  絶縁操作ロッド
１１、３１  遮断用操作機構
１３、２７  断路用操作機構
１４、３２  接地用操作機構
１５、３３  断路棒
１６  絶縁カラー
１７、３６  接地導体
１８、３７  接地極導体
１９、３５  支持がいし
２０、２８  変流器
２１、２９  ケーブルヘッド
２２、３０  負荷ケーブル
３８  制御室
４０  電圧印加リード線
【図１】
2009071907.tif 000003
【図２】
2009071907.tif 000004